(57)【特許請求の範囲】
【請求項１】
こませかご本体のこませの充填口を開閉自在に閉塞する蓋体が設けられて成るこませかごにおいて、
前記こませかご本体または前記蓋体のいずれか一方には、他方に設けられた係合部に対してこませかごの内側から係合する係止片が設けられ、
前記係止片は、前記こませかご本体および前記蓋体とは別体で設けられるとともに、前記こませかご本体の内側と外側との間にわたって移動できるように前記こませかご本体または前記蓋体に結合されて支持されることを特徴とするこませかご。
【請求項２】
前記係止片は、前記係合部と係合する方向に付勢されていることを特徴とする請求項１に記載のこませかご。
【発明の詳細な説明】
【技術分野】
【０００１】
本発明は、内部に収容したこませ（撒き餌）を水中で放出して魚を誘うために魚釣り時に使用されるこませかごに関する。
【背景技術】
【０００２】
従来、魚釣りでは、魚を寄せるために釣り用仕掛けにこませかごを取り付け、このこませかごの内部にこませ（撒き餌）を収容するとともに、こませかごを水中に沈めて内部のこませを水中で拡散放出させることにより集魚効果を得ることが行なわれている。これに関連して、例えば特許文献１には、こませを内部に充填するための充填口を有し、この充填口が蓋体により閉塞されて成るこませかごが開示されている。具体的には、このこませかごは、前記充填口を有するこませかご本体と、前記充填口を開閉するようにこませかご本体に対して回動自在に取り付けられた蓋体とから成り、こませかご本体に設けられた係合部に対して蓋体の係止部が係止されることにより蓋体が閉位置に保持され、充填口が閉塞状態に維持されるようになっている。
【特許文献１】特開２０００−８３５４５号公報
【発明の開示】
【発明が解決しようとする課題】
【０００３】
しかしながら、特許文献１に開示されるこませかごでは、蓋体が係止される前記係合部がこませかご本体の外側にあるため、こませかごが水中を落下して水底に衝突した際にその衝撃で蓋体が開いてしまう場合があった。
【０００４】
また、特許文献１に開示されるこませかごでは、前記係止部が蓋体と一体であるため、水圧でこませかごが歪むと、その影響で係止部の係合状態が解除されてしまう虞がある。
【０００５】
更に、特許文献１に開示されるこませかごでは、前記係止部を形成する材料の可撓性を利用して係止部の係合状態が解除されるようになっていることから、前記係合部を大きく形成することが難しく、したがって、係合力を大きく確保することが難しく、その結果、係止部と係合部との係合状態が不用意に解除されてしまう虞がある。
【０００６】
本発明は、前記事情に着目してなされたものであり、その目的とするところは、こませの充填口を閉塞状態に維持する蓋体とこませかご本体との係合状態が不用意に外れてしまうことを防止できるこませかごを提供することにある。
【課題を解決するための手段】
【０００７】
前記課題を解決するために、本発明は、こませかご本体のこませの充填口を開閉自在に閉塞する蓋体が設けられて成るこませかごにおいて、前記こませかご本体または前記蓋体のいずれか一方には、他方に設けられた係合部に対してこませかごの内側から係合する係止片が設けられ、前記係止片は、前記こませかご本体および前記蓋体とは別体で設けられるとともに、前記こませかご本体の内側と外側との間にわたって移動できるように前記こませかご本体または前記蓋体に結合されて支持されることを特徴とする。
【０００８】
上記構成において、前記係止片は、前記係合部と係合する方向に付勢されていることが好ましい。
【発明の効果】
【０００９】
本発明によれば、こませかご本体と蓋体とがこませかごの内側から係合するようになっており、係合部がこませかごの外側に露出されていないため、こませの充填口を閉塞状態に維持する蓋体とこませかご本体との係合状態が不用意に外れてしまうことを防止できる。また、本発明によれば、係止片がこませかご本体おおよび蓋体と別体に設けられているため、こませかごが水圧等によって歪んでも、係止片がその歪みの影響を受けにくく、したがって、当該歪みによって前記係合状態が外れてしまうことが防止される。
【発明を実施するための最良の形態】
【００１０】
以下、図面を参照しながら、本発明の一実施形態について説明する。
図１〜図５は本発明の第１の実施形態を示している。これらの図に示されるように、本実施形態のこませかご１は、こませを収納するための収納部Ｓを内部に有し且つこませを収納部Ｓ内に充填するための充填口５０が形成された筒状のこませかご本体２と、充填口５０を開閉するようにこませかご本体２に対して回動自在に取り付けられた（充填口５０を開閉自在に閉塞する）蓋体４とを有して成り、こませかご本体２に設けられた係合部２１に対して蓋体４側の係止部３２が係止されることにより蓋体４が閉位置に保持され、充填口５０が閉塞状態に維持されるようになっている。
【００１１】
具体的には、こませかご本体２は、収納部Ｓを内部に形成して成る筒状の胴部２０と、この胴部の上下を塞ぐ天部２２および底部２４とから成り、胴部２０の側面に充填口５０が形成されている。また、こませかご本体２には、収納部Ｓ内に水を流通させるための通水孔６が設けられており、例えば本実施形態では、天部２２と胴部２０とにそれぞれ通水孔６が形成されている（無論、底部２４に通水孔６が設けられていても良い）。なお、天部２２の上端には、釣り用の仕掛けが取り付けられる例えばリング状の仕掛け取付部１９が設けられている。
【００１２】
また、こませかご本体２には、その胴部２０に、より正確には充填口５０の一側周縁部のヒンジ部８に、蓋体４が回動可能に枢着されている。具体的には、蓋体４は、胴部２０に上下に位置して設けられた支持部９の回動軸１１に対してその枢着部１０が枢支されており、充填口５０を開閉するべく回動軸１１を中心に回動できるようになっている。
【００１３】
また、図２〜図５に明確に示されるように、蓋体４には、枢着部１０が位置する側と反対側の端部に凹部４ａが形成されており、この凹部４ａ内には、こませかご本体２と係合可能な係止片３０が設けられている。係止片３０は、蓋体４およびこませかご本体２とは別体で設けられており、指で押圧可能な操作部３１と、操作部３１の先端に屈曲形成された係止爪の形態を成す係止部３２とを有している。この場合、係止部３２は、充填口５０の端縁に位置してこませかご本体２に突出形成された（こませかご本体２の径方向内側に向けて突設された）係合部２１と係脱自在に係合するようになっており、係合部２１および係止部３２にはそれぞれ、互いの係合を案内するための傾斜面２１ａ，３２ａが形成されている。
【００１４】
また、係止片３０は、その裏面（収納部Ｓと対向する側の面；操作部３１の操作面と反対側の面）から収納部Ｓ内へと延びる抜け止め突起３６（本実施形態では２つ；図３参照）を介して、蓋体４に結合されるとともに、こませかご本体２の内側と外側との間にわたって径方向（こませかご本体２の内側、外側の方向）に移動できるように支持されている。具体的には、抜け止め突起３６は、凹部４ａの底部を形成する蓋体４の支持部４０に設けられた誘導孔４０ａ（本実施形態では２つ；図３参照）に進退自在に挿通されており、収納部Ｓ内に突出するその先端の爪３９が支持部４０の内側に突き当たることにより凹部４ａからの係止片３０の脱落を防止するようになっている。そして、係止片３０は、後述する付勢部材３７によって抜け止め用の前記爪３９が支持部４０の内側に突き当てられた通常の状態で、操作部３１の操作面がこませかご本体２の外面と面一になるように凹部４ａ内に配されている（図２および図３参照）。
【００１５】
また、係合片３０は、支持部４０との間に介挿されたコイルバネとしての付勢部材３７によって係合部２１と係合する方向（抜け止め用の前記爪３９が支持部４０の内側に突き当たる径方向外側に向けた方向）に常時付勢されている。具体的には、付勢部材３７は、その一端が支持部４０の保持突起４２に保持されるとともに、その他端が係止片３０の裏面の保持凹部３８に保持されており、蓋体４が閉位置（充填口５０を閉じる位置）に位置されて係止部３２が係合部２１と係合する際にその係合状態を維持するべく係止片３０をこませかご本体２の径方向外側に向けて付勢する。
【００１６】
なお、係止片３０の裏面には、こませが凹部４ａ内に入り込むこと或いは付勢部材３７のコイル巻回部にこませが詰まってしまうことを防止するための保護壁３４が突設されている。
【００１７】
以上のような構成を成すこませかご１を使用する場合には、まず、図１〜図３の蓋体閉塞状態で、係止片３０の操作部３１を付勢部材３７の付勢力に抗して収納部Ｓ側（こませかご本体２の内側）へと押圧することにより、係止片３０の係止部３２とこませかご本体２の係合部２１との係合状態を解除し（図４および図５の状態）、その状態で蓋体４を開位置へ向けて回動させて充填口５０を開放する（図４の二点鎖線で示される状態）。その後、充填口５０を通じて収納部Ｓ内にこませを充填して、再び蓋体４を閉じると、係止部３２の傾斜面３２ａがこませかご本体２の係合部２１の傾斜面２１ａに当接しながらこれを乗り越えることで、係止部３２と係合部２１とがこませかご１の内側から互いに係合する。この係合状態は、前述したように付勢部材３７の付勢力によって維持される。そして、この蓋体閉塞状態で、こませかご１をその仕掛け取付部１９を介して釣り用仕掛けに取り付け、水中に沈めて釣りを行なう。
【００１８】
以上説明したように、本実施形態のこませかご１では、こませかご本体２と蓋体４とがこませかご１の内側から係合するようになっており、その係合部分（すなわち、係止部３２と係合部２１）がこませかご１の外側に露出されていないため、こませの充填口５０を閉塞状態に維持する蓋体４とこませかご本体２との係合状態が不用意に外れてしまうことを防止できる。すなわち、係止片３０がこませかご１の内側から係合しているため、例えばこませかご１を水底にぶつけても、その衝撃で係止部３２と係合部２１との係合状態が外れて不用意に蓋体４が開くことがない。
【００１９】
また、本実施形態では、係止片３０がこませかご本体２と別体に設けられ、しかも、係止片３０が付勢部材３７により係合部２１との係合方向に向けて押圧付勢されているため、こませかご１が水圧等によって歪んでも、係止片３０がその歪みの影響を受けにくく、したがって、当該歪みによって前記係合状態が外れてしまうことが防止される。また、蓋体と係止部とが一体に形成された特許文献１とは異なり、係止片３０が蓋体４と別体で形成されており、係止片３０を操作したときのこませかご本体２の径方向への移動に伴って係止部３２もこませかご本体２の径方向（こませかご本体２の内側と外側の方向）に大きく移動できるようになっているため、係止部３２と係合部２１との係合およびその解除を確実に行なうことができ、係止部３２および係合部２１を大きく形成して係合範囲を広くとるようにしても、当該係合状態を容易に解除することができる。つまり、本実施形態によれば、係合力を十分に保持できる一方で、その係合状態を容易に解除することができ、蓋体４の開放を容易に行なうことができる。
【００２０】
図６〜図８は本発明の第２の実施形態を示している。本実施形態では、前述した第１の実施形態とは逆の構造を成しており、係止片３０がこませかご本体２に設けられ、係止片３０が係止するための係合部が蓋体４側に設けられている。
【００２１】
具体的に、本実施形態のこませかご１Ａでは、蓋体４がこませかご本体２の内側に摺動自在に嵌合されており、蓋体４をこませかご本体２の内周面に沿って（図８に矢印で示される方向およびその逆の方向に）回動させることにより、充填口５０が蓋体４によって開閉されるようになっている。また、充填口５０を画定するこませかご本体２の一端部には凹部２０ａが形成されており、この凹部２０ａ内には、第１の実施形態と同一構造の係止片３０が設けられている。この係止片３０の抜け止め突起３６は、凹部２０ａの底部を形成するこませかご本体２の支持部２９に設けられた誘導孔に進退自在に挿通されており、収納部Ｓ内に突出するその先端の爪３９が支持部２９の内側に突き当たることにより凹部２０ａからの係止片３０の脱落を防止するようになっている。
【００２２】
また、係止片３０の係止部３２は、蓋体４の端部に形成された貫通孔としての係合部６３と係脱自在に係合するようになっており、係合部６３および係止部３２にはそれぞれ、互いの係合を案内するための傾斜面６５，３２ａが形成されている。
【００２３】
なお、それ以外の構成は第１の実施形態と同一であり、したがって、第１の実施形態と同一の参照符号を付してその説明を省略する。また、本実施形態において、蓋体４の開閉は、係止片３０を押圧しながら蓋体４の外側に設けられた指掛け突起６２に指を引っ掛けて回動することで容易になされる。
【００２４】
このように本実施形態のこませかご１Ａにおいても、こませかご本体２と蓋体４とがこませかご１の内側から係合するようになっており、その係合部分（すなわち、係止部３２と係合部６３）がこませかご１の外側に露出されていないため、こませの充填口５０を閉塞状態に維持する蓋体４とこませかご本体２との係合状態が不用意に外れてしまうことを防止できる。
【００２５】
図９および図１０は本発明の第３の実施形態を示している。本実施形態は、第１の実施形態の変形例であり、係止片３０を付勢する形態が第１の実施形態と異なっている。すなわち、本実施形態の係止片３０は、蓋体４の凹部４ａ内に突設された軸部９２に対して回動可能に軸支されており、軸部９２に巻回支持され且つ一端が支持部４０に当て付くとともに他端が係止片３０の裏面に当て付くバネ（付勢部材）によって係止部３２が係合部２１と係合する方向へ向けて常時付勢されている。したがって、この構成では、係止片３０を押圧操作ではなく回動操作することによって係止部３２と係合部２１との係脱を行なうようになっている（図１０参照）。
【００２６】
このような構成においても、こませかご本体２と蓋体４とがこませかご１の内側から係合するようになっており、その係合部分（すなわち、係止部３２と係合部２１）がこませかご１の外側に露出されていないため、こませの充填口５０を閉塞状態に維持する蓋体４とこませかご本体２との係合状態が不用意に外れてしまうことを防止できる。
【００２７】
また、係止片３０の回動操作で係止部３２がこませかご本体２の径方向（こませかご本体２の内側と外側の方向）に移動するため、係合部２１との係合及び解除を確実に行なうことができる。
【図面の簡単な説明】
【００２８】
【図１】本発明の第１の実施形態に係るこませかごの側面図である。
【図２】蓋体により充填口が閉塞された状態における図１のＡ−Ａ線に沿う断面図である。
【図３】図２のＢ−Ｂ線に沿う断面図である。
【図４】蓋体により充填口が開放された状態における図１のＡ−Ａ線に沿う断面図である。
【図５】図４のＣ−Ｃ線に沿う断面図である。
【図６】本発明の第２の実施形態に係るこませかごの側面図である。
【図７】蓋体により充填口が閉塞された状態における図６のＤ−Ｄ線に沿う断面図である。
【図８】蓋体により充填口が開放された状態における図６のＤ−Ｄ線に沿う断面図である。
【図９】本発明の第３の実施形態に係るこませかごの図７に対応する断面図である。
【図１０】本発明の第３の実施形態に係るこませかごの図８に対応する断面図である。
【符号の説明】
【００２９】
１  こませかご
２  こませかご本体
４  蓋体
２１  係合部
３０  係止片
３２  係止部
【図１】
0005118498.tif 000002
【図２】
0005118498.tif 000003
【図３】
0005118498.tif 000004
【図４】
0005118498.tif 000005
【図５】
0005118498.tif 000006
【図６】
0005118498.tif 000007
【図７】
0005118498.tif 000008
【図８】
0005118498.tif 000009
【図９】
0005118498.tif 000010
【図１０】
0005118498.tif 000011